(57)【特許請求の範囲】
【請求項１】
一側面にはアナログウォッチが表われ、他側面にはスマートウォッチが表われるように、アナログウォッチユニットとスマートウォッチユニットとが互いに背を向けて結合された時計本体と、
前記時計本体が着脱自在に差し込まれるように、中央に溝及び通孔のうち何れか１つが形成されたフレームと、
一端部に、前記時計本体が回転自在に結合され、他端部は、前記フレームにヒンジ結合されたものであって、前記一端部が、前記フレームに近くなる第１位置と、前記一端部が、前記フレームから遠ざかる第２位置と、の間で前記他端部を中心に回転自在なブラケット（ｂｒａｃｋｅｔ）と、を備え、
前記ブラケットが、前記第１位置である時、前記フレームの溝及び通孔のうち何れか１つに前記時計本体が差し込まれて、前記アナログウォッチ及び前記スマートウォッチのうち何れか１つが、前記フレームの前面に露出され、
前記ブラケットを前記第２位置に移動させ、前記時計本体を、前記ブラケットの一端部を中心に半周回転させ、前記ブラケットを再び前記第１位置に復帰させれば、前記アナログウォッチ及び前記スマートウォッチのうち他の１つが、前記フレームの前面に露出され、
前記スマートウォッチが、前記フレームの前面に露出された時のみに前記スマートウォッチユニットを作動させるスマートウォッチ・オン／オフ・ユニットをさらに備え、前記スマートウォッチ・オン／オフ・ユニットは、前記時計本体により操作されることを特徴とするコンバーチブルスマートウォッチ。
【請求項２】
前記時計本体の側面には、前記時計本体の一端部から他端部まで延びたガイドグルーブが形成され、前記ブラケットの一端部には、前記ガイドグルーブに差し込まれる連結突起が設けられて、
前記時計本体は、前記連結突起を中心に回転可能であり、前記連結突起に前記ガイドグルーブが締結された状態で滑って、前記ブラケットに対して位置移動可能であることを特徴とする請求項１に記載のコンバーチブルスマートウォッチ。
【請求項３】
前記ガイドグルーブは、前記時計本体の両側面に１つずつ一対が形成され、前記連結突起が設けられたブラケットは、前記一対のブラケットに一対一で締結されるように一対が備えられ、
前記第１位置である時、前記ブラケットは、前記フレームの溝または通孔に挿入されることを特徴とする請求項２に記載のコンバーチブルスマートウォッチ。
【請求項４】
前記スマートウォッチ・オン／オフ・ユニットは、前記フレーム及び前記時計本体のうち何れか１つから弾性収縮可能に突出した弾性突起、及び前記フレーム及び前記時計本体のうち他の１つに設けられ、接触加圧されれば、前記スマートウォッチユニットの作動を許容するタッチスイッチを備え、
前記フレームの溝及び通孔のうち何れか１つに前記時計本体が差し込まれ、前記スマートウォッチが、前記フレームの前面に露出された時のみに前記弾性突起によって前記タッチスイッチが接触加圧されることを特徴とする請求項１に記載のコンバーチブルスマートウォッチ。
【請求項５】
前記時計本体に、前記弾性突起の端部が挿入される第１ロッキング溝が形成され、前記タッチスイッチは、前記第１ロッキング溝の内側に設けられて、
前記フレームの溝及び通孔のうち何れか１つに前記時計本体が差し込まれ、前記スマートウォッチが、前記フレームの前面に露出された時のみに前記弾性突起の端部が前記第１ロッキング溝に挿入されて、前記タッチスイッチを接触加圧することを特徴とする請求項４に記載のコンバーチブルスマートウォッチ。
【請求項６】
前記時計本体の前記第１ロッキング溝が形成された位置と反対の位置に、前記弾性突起の端部が挿入される第２ロッキング溝がさらに形成されて、前記フレームの溝及び通孔のうち何れか１つに前記時計本体が差し込まれ、前記アナログウォッチが、前記フレームの前面に露出された時のみに前記弾性突起の端部が前記第２ロッキング溝に挿入され、
前記弾性突起の端部が、前記第１ロッキング溝及び前記第２ロッキング溝のうちの１つに挿入された場合に、前記時計本体が意図しないように、前記フレームの溝及び通孔のうち何れか１つから抜けないようにロッキングされることを特徴とする請求項５に記載のコンバーチブルスマートウォッチ。
【請求項７】
前記時計本体が、前記フレームの溝及び通孔のうち何れか１つに差し込まれた場合に、前記時計本体が意図しないように、前記フレームの溝及び通孔のうち何れか１つから抜けないようにロッキングする時計本体ロッキングユニットをさらに備えたことを特徴とする請求項１に記載のコンバーチブルスマートウォッチ。
【請求項８】
中央に通孔が形成されたフレームと、
前記フレームの通孔内で回転自在に配されるものであって、一側面にはアナログウォッチが表われ、他側面にはスマートウォッチが表われるように、アナログウォッチユニットとスマートウォッチユニットとが互いに背を向けて結合された時計本体と、
前記スマートウォッチが、前記フレームの前面に表われ、前記アナログウォッチが、前記フレームの背面に表われる時、前記スマートウォッチユニットを作動させるスマートウォッチ・オン／オフ・ユニットと、
を備え、前記スマートウォッチ・オン／オフ・ユニットは、前記時計本体により操作されることを特徴とするコンバーチブルスマートウォッチ。
【請求項９】
前記スマートウォッチ・オン／オフ・ユニットは、前記フレーム及び前記時計本体のうち何れか１つから弾性収縮可能に突出した弾性突起、及び前記フレーム及び前記時計本体のうち他の１つに設けられ、接触加圧されれば、前記スマートウォッチユニットの作動を許容するタッチスイッチを備え、
前記スマートウォッチが、前記フレームの前面に表われ、前記アナログウォッチが、前記フレームの背面に表われる時、前記弾性突起によって前記タッチスイッチが接触加圧されることを特徴とする請求項８に記載のコンバーチブルスマートウォッチ。
【請求項１０】
前記スマートウォッチが、前記フレームの前面に表われ、前記アナログウォッチが、前記フレームの背面に表われた場合、及び前記アナログウォッチが、前記フレームの前面に表われ、前記スマートウォッチが、前記フレームの背面に表われた場合に、前記時計本体が意図しないように回転しないようにロッキングする時計本体ロッキングユニットをさらに備えたことを特徴とする請求項８に記載のコンバーチブルスマートウォッチ。
【請求項１１】
前記時計本体ロッキングユニットは、前記フレーム及び前記時計本体のうち何れか１つから弾性収縮可能に突出した一対のロック突起、及び前記フレーム及び前記時計本体のうち他の１つに前記一対のロック突起の端部が挿入される一対のロッキング溝を備え、
前記一対のロック突起及び前記一対のロッキング溝は、前記時計本体の回転軸線に対して互いに対称になる位置に設けられたことを特徴とする請求項１０に記載のコンバーチブルスマートウォッチ。
【発明の詳細な説明】
【技術分野】
【０００１】
本発明は、スマートウォッチに係り、より詳細には、スマートウォッチ（ｓｍａｒｔ  ｗａｔｃｈ）とアナログウォッチ（ａｎａｌｏｇｕｅ  ｗａｔｃｈ）とを自在に切り替え可能なコンバーチブルスマートウォッチに関する。
【背景技術】
【０００２】
スマートウォッチは、一般時計よりも向上した機能を装着している組み込み（ｅｍｂｅｄｅｄ）システムの腕時計を言う。初期には、基本的な時間表示機能と共に計算機能、翻訳機能、ゲーム機能を備える程度であった。しかし、現在は、電話通話、音声及び文字メッセージ受信、オーディオ及びビデオファイルの再生だけではなく、モバイルアプリ（ａｐｐ）を駆動して多様な機能を提供している。現在のスマートウォッチは、通常のカメラ、加速度計、温度計、高度計、気圧計、羅針盤、クロノグラフ、タッチスクリーン、ＧＰＳ、ＳＤカード、充放電可能バッテリなどを備えている。
【０００３】
スマートウォッチは、多様な機能を行い、情報を確認することができるディスプレイパネル（ｄｉｓｐｌａｙ  ｐａｎｅｌ）を前面に備える。前記ディスプレイパネルを備えるデザイン（ｄｅｓｉｇｎ）が、未来向の美感を催すことはできるが、時針と分針とを有するアナログウォッチ（ａｎａｌｏｇ  ｗａｔｃｈ）の伝統の美感に慣れたユーザには選択をはばかる要因となる。
【０００４】
このような問題点を解決するために、ディスプレイパネル上に回転する時針と分針とを表現して、アナログウォッチに近く見えるようにデザインしたスマートウォッチも開示されている。しかし、実際時針と分針とが回転するアナログウォッチの美感を完璧に再現することは難しい。また、無線通信状態が不良であるか、バッテリが放電した場合、時間を確認することができなくて、困難を経験することもある。
【発明の概要】
【発明が解決しようとする課題】
【０００５】
本発明は、スマートウォッチと共にアナログウォッチを兼備し、選択によってスマートウォッチまたはアナログウォッチに切り替えて見られるコンバーチブルスマートウォッチを提供する。
【課題を解決するための手段】
【０００６】
本発明のコンバーチブルスマートウォッチは、時計本体と、フレームと、ブラケットと、を備える。時計本体は、アナログウォッチユニットとスマートウォッチユニットとが互いに背を向けて結合される。したがって、時計本体の一側面にはアナログウォッチが表われ、他側面にはスマートウォッチが表われる。
【０００７】
フレームは、前記時計本体が着脱自在に差し込まれる。前記フレームの中央には、溝及び通孔のうち何れか１つが形成される。
【０００８】
ブラケットの一端部は、時計本体に結合され、他端部は、フレームに結合される。この場合、時計本体は、前記ブラケットの一端部に回転自在に結合される。前記ブラケットの他端部は、前記フレームにヒンジ（ｈｉｎｇｅ）結合される。したがって、前記ブラケットの前記一端部が、前記フレームに近くなる第１位置と、前記一端部が、前記フレームから遠ざかる第２位置との間で前記他端部を中心に回転可能である。
【０００９】
前記ブラケットが前記第１位置であり、前記フレームの溝及び通孔のうち何れか１つに前記時計本体が差し込まれれば、前記アナログウォッチ及び前記スマートウォッチのうち何れか１つが、前記フレームの前面に露出される。また、前記ブラケットが前記第２位置であり、前記時計本体が、前記ブラケットの一端部を中心に半周回転し、前記ブラケットが再び前記第１位置に復帰されれば、前記アナログウォッチ及び前記スマートウォッチのうち他の１つが、前記フレームの前面に露出される。
【００１０】
前記時計本体の側面には、前記時計本体の一端部から他端部まで延びたガイドグルーブ（ｇｕｉｄｅ  ｇｒｏｏｖｅ）が形成されうる。また、前記ブラケットの一端部には、前記ガイドグルーブに差し込まれる連結突起が設けられうる。したがって、前記時計本体は、前記連結突起を中心に回転可能であり、前記連結突起に前記ガイドグルーブが締結された状態で滑って、前記ブラケットに対して位置移動可能に構成することができる。
【００１１】
前記ガイドグルーブは、前記時計本体の両側面に１つずつ一対が形成されうる。前記連結突起が設けられたブラケットは、前記一対のブラケットに一対一で締結されるように一対が備えられうる。前記第１位置である時、前記ブラケットは、前記フレームの溝または通孔に挿入されうる。
【００１２】
本発明のコンバーチブルスマートウォッチは、前記スマートウォッチが、前記フレームの前面に露出された時のみに前記スマートウォッチユニットを作動させるスマートウォッチ・オン／オフ・ユニット（ｏｎ−ｏｆｆ  ｕｎｉｔ）をさらに備えることができる。
【００１３】
前記スマートウォッチ・オン／オフ・ユニットは、弾性突起及びタッチスイッチを含みうる。弾性突起は、前記フレーム及び前記時計本体のうち何れか１つから弾性収縮可能に突出する。タッチスイッチは、前記フレーム及び前記時計本体のうち他の１つに設けられ、接触加圧されれば、前記スマートウォッチユニットの作動を許容する。この場合、前記フレームの溝及び通孔のうち何れか１つに前記時計本体が差し込まれ、前記スマートウォッチが、前記フレームの前面に露出された時のみに前記弾性突起によって前記タッチスイッチが接触加圧されうる。
【００１４】
前記時計本体に、前記弾性突起の端部が挿入される第１ロッキング溝が形成されうる。また、前記タッチスイッチは、前記第１ロッキング溝の内側に設けられうる。この場合、前記フレームの溝及び通孔のうち何れか１つに前記時計本体が差し込まれ、前記スマートウォッチが、前記フレームの前面に露出された時のみに前記弾性突起の端部が前記第１ロッキング溝に挿入されて、前記タッチスイッチを接触加圧することができる。
【００１５】
前記時計本体の前記第１ロッキング溝が形成された位置と反対の位置に、前記弾性突起の端部が挿入される第２ロッキング溝がさらに形成されうる。前記フレームの溝及び通孔のうち何れか１つに前記時計本体が差し込まれ、前記アナログウォッチが、前記フレームの前面に露出された時のみに前記弾性突起の端部が前記第２ロッキング溝に挿入されうる。
【００１６】
前記弾性突起の端部が、前記第１ロッキング溝及び前記第２ロッキング溝のうちの１つに挿入された場合に、前記時計本体が意図しないように、前記フレームの溝及び通孔のうち何れか１つから抜けないようにロッキング（ｌｏｃｋｉｎｇ）されうる。
【００１７】
本発明のコンバーチブルスマートウォッチは、前記時計本体が、前記フレームの溝及び通孔のうち何れか１つに差し込まれた場合に、前記時計本体が意図しないように、前記フレームの溝及び通孔のうち何れか１つから抜けないようにロッキングする時計本体ロッキングユニット（ｌｏｃｋｉｎｇ  ｕｎｉｔ）をさらに備えることができる。
【発明の効果】
【００１８】
本発明のコンバーチブルスマートウォッチは、スマートウォッチユニットとアナログウォッチユニットとが互いに背を向けて重なるように配され、スマートウォッチ及びアナログウォッチのうち何れか１つが露出されるように切り替えることができる。したがって、１つの腕時計でユーザの服装、集まりの雰囲気などに合わせてスマートウォッチとして用いるか、アナログウォッチとして用いられる。
【００１９】
本発明のコンバーチブルスマートウォッチは、時計本体がブラケットを介してフレームに連結された構造であって、手首に着用した状態で、スマートウォッチが露出された状態からアナログウォッチが露出された状態に、またはその反対の場合に切り替え可能である。
【００２０】
また、本発明のコンバーチブルスマートウォッチは、無線通信状態が不良であるか、バッテリが放電してスマートウォッチユニットを用いることができない場合にも、アナログウォッチユニットを通じて時間を確認することができる。
【図面の簡単な説明】
【００２１】
【図１】本発明の一実施形態によるコンバーチブルスマートウォッチでアナログウォッチユニットからスマートウォッチユニットに切り替えられる過程を順次に示す斜視図である。
【図２】本発明の一実施形態によるコンバーチブルスマートウォッチでアナログウォッチユニットからスマートウォッチユニットに切り替えられる過程を順次に示す斜視図である。
【図３】本発明の一実施形態によるコンバーチブルスマートウォッチでアナログウォッチユニットからスマートウォッチユニットに切り替えられる過程を順次に示す斜視図である。
【図４】本発明の一実施形態によるコンバーチブルスマートウォッチでアナログウォッチユニットからスマートウォッチユニットに切り替えられる過程を順次に示す斜視図である。
【図５】本発明の一実施形態によるコンバーチブルスマートウォッチでアナログウォッチユニットからスマートウォッチユニットに切り替えられる過程を順次に示す斜視図である。
【図６】本発明の一実施形態によるコンバーチブルスマートウォッチでアナログウォッチユニットからスマートウォッチユニットに切り替えられる過程を順次に示す斜視図である。
【図７】本発明の他の一実施形態によるコンバーチブルスマートウォッチでアナログウォッチユニットからスマートウォッチユニットに切り替えられる過程を順次に示す斜視図である。
【図８】発明の他の一実施形態によるコンバーチブルスマートウォッチでアナログウォッチユニットからスマートウォッチユニットに切り替えられる過程を順次に示す斜視図である。
【図９】発明の他の一実施形態によるコンバーチブルスマートウォッチでアナログウォッチユニットからスマートウォッチユニットに切り替えられる過程を順次に示す斜視図である。
【図１０】発明の他の一実施形態によるコンバーチブルスマートウォッチでアナログウォッチユニットからスマートウォッチユニットに切り替えられる過程を順次に示す斜視図である。
【発明を実施するための形態】
【００２２】
以下、添付図面を参照して、本発明の実施形態によるコンバーチブルスマートウォッチを詳細に説明する。本明細書で使われる用語（ｔｅｒｍｉｎｏｌｏｇｙ）は、本発明の望ましい実施形態を適切に表現するために使われた用語であって、これは、ユーザまたは運用者の意図または本発明が属する分野の慣例などによって変わりうる。したがって、本用語に対する定義は、本明細書の全般に亘った内容に基づいて下されなければならない。
【００２３】
図１ないし図６は、本発明の一実施形態によるコンバーチブルスマートウォッチでアナログウォッチユニットからスマートウォッチユニットに切り替えられる過程を順次に示す斜視図である。図１ないし図６を共に参照すれば、本発明の一実施形態によるコンバーチブルスマートウォッチ１は、フレーム（ｆｒａｍｅ）５、時計本体２０、及びブラケット１０を備える。フレーム５は、中央に長方形に掘れた溝８が形成される。前記溝８に時計本体２０が着脱自在に差し込まれる。フレーム５の長手方向の両端部には、ストラップ支持バー（ｓｔｒａｐ  ｓｕｐｐｏｒｔｉｎｇ  ｂａｒ）６が設けられる。フレーム５を手首に着用できるように、前記ストラップ支持バーにストラップ２が連結される。前記溝８は、フレーム５の前面側は開放され、背面側は開放されていない形態である。時計本体２０が差し込まれる形態として、溝８の代わりに前面側及び背面側がいずれも開放された通孔が形成されうる。
【００２４】
時計本体２０は、アナログウォッチユニット３０とスマートウォッチユニット３６とが互いに背を向けて結合される。時計本体の一側面にはアナログウォッチが表われ、他側面にはスマートウォッチが表われる。時計本体２０は、アナログウォッチユニット３０とスマートウォッチユニット３６とのフレームを取り囲むベゼル（ｂｅｚｅｌ）２１をさらに備える。時計本体は、横及び縦よりも厚さが薄い直方体状であり得る。
【００２５】
アナログウォッチユニット３０は、時計本体２０の一側面に付着されて回転する時針３２と分針３３とを通じて時間を知らせる。時針３２と分針３３とを回転させるために、アナログウォッチユニット３０は、機械式ムーブメント（ｍｅｃｈａｎｉｃａｌ  ｍｏｖｅｍｅｎｔ）またはクォーツムーブメント（ｑｕａｒｔｚ  ｍｏｖｅｍｅｎｔ）を含みうる。スマートウォッチユニット３６は、時計本体２０の他側面に備えられたディスプレイパネルで、例えば、時間を数字で表現するなどの方法で時間を知らせる。スマートウォッチユニット３６は、時間報知、電話通話、音声及びメッセージ受信などの機能だけではなく、モバイルアプリ（ａｐｐ）を通じて計算器、翻訳機、ゲーム機など多様な機能を提供することができる。スマートウォッチユニット３６は、カメラ、加速度計、温度計、高度計、気圧計、羅針盤、クロノグラフ、タッチスクリーン、ＧＰＳ、ＳＤカード、充放電可能バッテリなどを備えている。
【００２６】
ブラケット１０は、フレーム５と時計本体２０とを連結するものであって、時計本体２０の両側面を支持するように一対が備えられる。一対のブラケット１０の一端部には、時計本体２０が回転自在に結合される。
【００２７】
具体的に、時計本体２０の側面のベゼル２１には、一対のガイドグルーブ２２が形成されうる。前記一対のガイドグルーブ２２は、時計本体２０の一端部から他端部まで直線経路延長される。前記一対のブラケット１０の一端部には、前記一対のガイドグルーブ２２に差し込まれる連結突起１１が設けられる。
【００２８】
時計本体２０がフレーム５の溝８に差し込まれず、前記溝８から離脱された状態である時、前記時計本体２０は、一対の連結突起１１を中心に回転可能である。また、前記一対の連結突起１１に一対のガイドグルーブ２２が締結された状態で、時計本体２０が滑って一対のブラケット１０に対して位置移動可能である。前記ガイドグルーブ２２の長手方向の両端部には、連結突起１１が載置される連結突起載置溝２３が形成される。
【００２９】
一方、隠されて明確に図示されないが、一対のブラケット１０の他端部は、フレーム５の溝８の内側面の隣接した一対のコーナー（ｃｏｒｎｅｒ）にそれぞれヒンジ結合される。これにより、一対のブラケット１０は、第１位置と、第２位置との間でブラケット１０の他端部を中心に回転可能である。この場合、第１位置は、連結突起１１が設けられた一端部がフレーム５に近くなる位置である。第２位置は、前記一端部がフレーム５から遠ざかる位置である。ブラケット１０の他端部とは、一対のブラケット１０の他端部を連結する仮想のブラケット回転軸線ＲＣ１を意味する。
【００３０】
図１及び図６が、一対のブラケット１０が第１位置である状態の形状が示された図面であり、図２ないし図５が、一対のブラケット１０が第２位置である状態の形状が示された図面である。図１及び図６に示したように、第１位置である時、一対のブラケット１０は、フレーム５の溝８に挿入され、前記溝８に時計本体２０が差し込まれて、アナログウォッチ及びスマートウォッチのうち何れか１つがフレーム５の前面に露出される。
【００３１】
第１位置は、例えば、図１に示したように、アナログウォッチがフレームの前面に露出された状態で時計本体２０がフレーム５の溝８に差し込まれた位置である。この状態で、図２に示したように、ブラケット回転軸線ＲＣ１を中心に一対のブラケット１０を回転させて、ブラケット１０の一端部が、前記溝８から抜け出して遠くなった第２位置に移動させる。図３に示したように、時計本体２０をガイドグルーブ２２が延びた方向と平行な方向に引っ張れば、連結突起１１にガイドグルーブ２２が締結された状態で時計本体２０が滑られる。これにより、時計本体２０がブラケット１０の前記他端部と遠ざかるように移動する。この過程で、ガイドグルーブ２２の一端部の連結突起載置溝２３に載置された連結突起１１は、ガイドグルーブ２２の他端部の連結突起載置溝２３に移動して載置される。
【００３２】
図４及び図５に示したように、時計本体回転軸線ＲＣ２を中心に半周回転させれば、フレーム５の前面にスマートウォッチが露出され、アナログウォッチは隠される。この場合、時計本体回転軸線ＲＣ２は、ガイドグルーブ２２の他端部の連結突起載置溝２３に載置された一対の連結突起１１を連結する仮想の線である。
【００３３】
そして、図６に示したように、一対のブラケット１０をブラケット回転軸線ＲＣ１を中心に回転させて、第２位置から第１位置に復帰させれば、図１の形状とは異なって、時計本体２０がフレーム５の溝８に挿入されたままスマートウォッチがフレーム５の前面に露出された状態になる。アナログウォッチをフレーム５の前面に露出しようとすれば、前述した過程と反対の過程を行えば良い。
【００３４】
図１及び図６を共に参照すれば、本発明の一実施形態によるコンバーチブルスマートウォッチ１は、スマートウォッチ・オン／オフ・ユニットをさらに備える。スマートウォッチ・オン／オフ・ユニットは、前記スマートウォッチがフレーム５の前面に露出された時のみに前記スマートウォッチユニット３６を作動させる。前記スマートウォッチ・オン／オフ・ユニットは、弾性突起１６及びタッチスイッチ（ｔｏｕｃｈ  ｓｗｉｔｃｈ）２８を備える。
【００３５】
弾性突起１６は、フレーム５の溝８の４面の内側面のうち一対のブラケット１０によって隠されない２面の内側面のうち何れか１つに設けられる。フレーム５の内側面に形成された弾性突起挿入溝１３に弾性突起１６が挿入される。前記弾性突起挿入溝１３の底面と弾性突起１６との間に圧縮バネ１９が介在されて、弾性突起１６は、フレーム５の溝８の中心に向けて弾性収縮可能に突出する。
【００３６】
弾性突起１６は、放射方向に拡張されたフランジ（ｆｌａｎｇｅ）１７と、弾性突起挿入溝１３の入口内周部に設けられた係止片１４と、を備える。したがって、弾性突起１６は、弾性突起挿入溝１３から離脱されず、端部のみフレーム５の溝８側に突出する。また、時計本体２０が、フレーム５の溝８に差し込まれる過程や前記溝８から離脱される過程で弾性突起がベゼル２１部分と接触されれば、弾性突起１６が、弾性突起挿入溝１３の内部に挿入される。
【００３７】
タッチスイッチ２８は、接触加圧されれば、スマートウォッチユニット３６の作動を許容し、接触加圧されなければ、スマートウォッチユニット３６の作動を止める。ここで、スマートウォッチユニット３６の作動が止めるということは、充放電可能バッテリで時計本体２０の一表面に設けられたディスプレイパネルに供給される電流を遮断して、前記ディスプレイパネルに文字または文様が表われないことを含む。
【００３８】
タッチスイッチ２８は、スマートウォッチがフレーム５の前面に露出されるように、時計本体２０が前記溝８に差し込まれる場合のみに前記弾性突起１６と整列されるように、時計本体２０のベゼル２１に設けられる。したがって、図６に示したように、前記溝８に時計本体２０が差し込まれ、前記スマートウォッチがフレーム５の前面に露出される時にのみ弾性突起１６によってタッチスイッチ２８が接触加圧されて、スマートウォッチユニット３６が作動する。一方、図１に示したように、前記溝８に時計本体２０が差し込まれるが、前記アナログウォッチがフレーム５の前面に露出される時には、スマートウォッチが作動しない。
【００３９】
ベゼル２１には、第１ロッキング溝（ｌｏｃｋｉｎｇ  ｇｒｏｏｖｅ）２５と第２ロッキング溝２６とが設けられる。具体的に、第１ロッキング溝２５は、前記スマートウォッチがフレーム５の前面に露出されるように、時計本体２０が前記溝８に差し込まれる場合のみに前記弾性突起１６と整列される位置に形成され、第２ロッキング溝２６は、前記アナログウォッチがフレーム５の前面に露出されるように、時計本体２０が前記溝８に差し込まれる場合のみに前記弾性突起１６と整列される位置に形成される。タッチスイッチ２８は、第１ロッキング溝２５の内側に設けられる。
【００４０】
したがって、図６に示したように、フレーム５の溝８に時計本体２０が差し込まれ、前記スマートウォッチがフレーム５の前面に露出される時には、弾性突起１６の端部が第１ロッキング溝２５に差し込まれて、時計本体２０が意図しないように、フレーム５の溝８から抜けないようにロッキングされる。この際、前記のように弾性突起１６の端部によってタッチスイッチ２８が接触加圧されて、スマートウォッチユニット３６が作動する。
【００４１】
一方、図１に示したように、フレーム５の溝８に時計本体２０が差し込まれ、前記アナログウォッチがフレーム５の前面に露出される時には、弾性突起１６の端部が第２ロッキング溝２６に差し込まれて、時計本体２０が意図しないように、フレーム５の溝８から抜けないようにロッキングされる。この際は、前記のようにタッチスイッチ２８が弾性突起１６によって加圧されないので、スマートウォッチユニット３６が作動しなくなる。
【００４２】
前記弾性突起１６と第１及び第２ロッキング溝２５、２６は、時計本体ロッキングユニットとして機能を行う。前記時計本体ロッキングユニットは、時計本体２０がフレーム５の溝８に差し込まれた場合に、時計本体２０が意図しないように、前記溝８から抜けないようにロッキングする。
【００４３】
図１ないし図６に示されたコンバーチブルスマートウォッチ１では、第１ロッキング溝２５の内部にタッチスイッチ２８を備えて、時計本体ロッキングユニットとスマートウォッチ・オン／オフ・ユニットとが合わせられているが、時計本体ロッキングユニットとスマートウォッチ・オン／オフ・ユニットとが分離されて別個に存在することもできる。一方、図１及び図６に示されたスマートウォッチ・オン／オフ・ユニットでは、フレーム５に弾性突起１６が搭載され、時計本体２０にタッチスイッチ２８が搭載されるが、一方、時計本体２０に弾性突起が搭載され、フレーム５にタッチスイッチが搭載されることもできる。
【００４４】
図７ないし図１０は、本発明の他の一実施形態によるコンバーチブルスマートウォッチでアナログウォッチユニットからスマートウォッチユニットに切り替えられる過程を順次に示す斜視図である。図７ないし図１０を共に参照すれば、本発明の他の一実施形態によるコンバーチブルスマートウォッチ５０は、フレーム５５、時計本体７０、及びスマートウォッチ・オン／オフ・ユニットを備える。フレーム５５は、時計本体７０が着脱自在に差し込まれるように、中央に長方形に掘れた通孔５８が形成される。フレーム５５の長手方向の両端部には、ストラップ支持バー５６が設けられ、フレーム５５を手首に着用できるようにストラップ５２が連結される。
【００４５】
時計本体７０は、横及び縦よりも厚さが薄い直方体状にアナログウォッチユニット８０とスマートウォッチユニット８６とが互いに背を向けて結合されて、一側面にはアナログウォッチが表われ、他側面にはスマートウォッチが表われる。時計本体７０は、アナログウォッチユニット８０とスマートウォッチユニット８６とのフレームを取り囲むベゼル７１をさらに備える。時計本体７０は、フレーム５５の通孔５８内で仮想の回転軸線ＲＣ３を中心に回転自在に配される。
【００４６】
アナログウォッチユニット８０は、時計本体７０の一側面に付着されて回転する時針８２と分針８３とを通じて時間を知らせる。アナログウォッチユニット８０は、時針８２と分針８３とを回転させるために、機械式ムーブメントまたはクォーツムーブメントを含みうる。スマートウォッチユニット８６は、時計本体７０の他側面に備えられたディスプレイパネルで、例えば、時間を数字で表現するなどの方法で時間を知らせる。スマートウォッチユニット８６は、時間報知、電話通話、音声及びメッセージ受信などの機能だけではなく、モバイルアプリ（ａｐｐ）を通じて計算器、翻訳機、ゲーム機など多様な機能を提供することができる。スマートウォッチユニット８６は、カメラ、加速度計、温度計、高度計、気圧計、羅針盤、クロノグラフ、タッチスクリーン、ＧＰＳ、ＳＤカード、充放電可能バッテリなどを備えている。
【００４７】
図７は、アナログウォッチがフレーム５５の前面に表われ、スマートウォッチがフレーム５５の背面に表われた時の形状であり、図１０は、スマートウォッチがフレーム５５の前面に表われ、アナログウォッチがフレーム５５の背面に表われた時の形状である。図８及び図９に示したように、時計本体７０を前記回転軸線ＲＣ３を中心に半周回転させれば、時計本体７０のアナログウォッチとスマートウォッチとの位置が互いに切り替えられて、スマートウォッチがフレーム５５の前面に表われ、アナログウォッチがフレーム５５の背面に表われる。この状態で、再び時計本体７０を前記回転軸線ＲＣ３を中心に半周回転させれば、元の位置どおりにアナログウォッチがフレーム５５の前面に復帰し、スマートウォッチがフレーム５５の背面に復帰する。
【００４８】
前記スマートウォッチ・オン／オフ・ユニットは、前記スマートウォッチがフレーム５５の前面に表われ、前記アナログウォッチが前記フレーム５５の背面に表われる時、前記スマートウォッチユニット８６を作動させる。図７及び図１０を共に参照すれば、前記スマートウォッチ・オン／オフ・ユニットは、弾性突起６４及びタッチスイッチ７５を備える。
【００４９】
弾性突起６４は、フレーム５５の通孔５８の４面の内側面のうち何れか１つの内側面に設けられるが、前記回転軸線ＲＣ３と重なる位置を避けて搭載される。フレーム５５の内側面に形成された弾性突起挿入溝６１に弾性突起６４が挿入され、前記弾性突起挿入溝６１の底面と弾性突起６４との間に圧縮バネ６７が介在されて、弾性突起６４は、フレーム５５の通孔５８の中心に向けて弾性収縮可能に突出する。弾性突起６４は、放射方向に拡張されたフランジ６５を備え、弾性突起挿入溝６１の入口内周部には、係止片６２が設けられる。したがって、弾性突起６４は、弾性突起挿入溝６１から離脱されず、端部のみフレーム５５の通孔５８側に突出し、時計本体７０が回転軸線ＲＣ３を中心に回転する過程でベゼル７１部分と接触されれば、弾性突起６４が弾性突起挿入溝６１の内部に挿入される。
【００５０】
タッチスイッチ７５は、接触加圧されれば、スマートウォッチユニット８６の作動を許容し、接触加圧されなければ、スマートウォッチユニット８６の作動を止める。ここで、スマートウォッチユニット８６の作動が止めるということは、充放電可能バッテリで時計本体７０の一表面に設けられたディスプレイパネルに供給される電流を遮断して、前記ディスプレイパネルに文字または文様が表われないことを含む。
【００５１】
タッチスイッチ７５は、スマートウォッチがフレーム５５の前面に表われ、アナログウォッチがフレーム５５の背面に表われる時に、弾性突起６４と整列されるように、時計本体７０のベゼル７１に設けられる。したがって、図１０に示したように、時計本体７０がフレーム５５に対して傾かず、水平に配され、前記スマートウォッチがフレーム５５の前面に表われた時に、弾性突起６４によってタッチスイッチ７５が接触加圧されて、スマートウォッチユニット８６が作動する。しかし、図７に示したように、時計本体７０がフレーム５５に対して傾かず、水平に配されるが、前記アナログウォッチがフレーム５５の前面に表われた時には、スマートウォッチが作動しない。
【００５２】
前記コンバーチブルスマートウォッチ５０は、前記スマートウォッチがフレーム５５の前面に表われ、前記アナログウォッチがフレーム５５の背面に表われた場合、及び前記アナログウォッチがフレーム５５の前面に表われ、前記スマートウォッチがフレーム５５の背面に表われた場合に、時計本体７０が意図しないように、回転軸線ＲＣ３を中心に回転しないようにロッキングする時計本体ロッキングユニットをさらに備える。
【００５３】
図８及び図９を参照すれば、前記時計本体ロッキングユニットは、時計本体７０のベゼル７１から外側に弾性収縮可能に突出した一対のロック突起７３と、前記フレーム通孔５８の内側面に前記一対のロック突起７３の端部が挿入される一対のロッキング溝６９と、を備える。前記ロック突起７３は、図７及び図１０に示された弾性収縮可能に突出した弾性突起６４とその構造が同一なので、具体的な説明は省略する。
【００５４】
図８及び図９には隠されており、１つのロック突起７３とロッキング溝６９のみが表われているが、前記一対のロック突起７３及び一対のロッキング溝６９は、それぞれ前記回転軸線ＲＣ３に対して互いに対称になる位置に設けられる。したがって、図７及び図１０で示したように、時計本体７０がフレーム５５に対して傾かず、水平に配され、スマートウォッチ及びアナログウォッチのうち何れか１つがフレーム５５の前面に表われ、スマートウォッチ及びアナログウォッチのうち他の１つがフレーム５５の背面に表われた時に、一対のロック突起７３の端部が一対のロッキング溝６９に差し込まれ、これにより、時計本体７０は意図しないように、回転軸線ＲＣ３を中心に回転しなくなる。
【００５５】
図７ないし図１０に示されたコンバーチブルスマートウォッチ５０では、時計本体ロッキングユニットとスマートウォッチ・オン／オフ・ユニットとが分離されて別個に存在しているが、一方、時計本体ロッキングユニットとスマートウォッチ・オン／オフ・ユニットとが合わせられて構成することもできる。一方、図７及び図１０に示された時計本体ロッキングユニットでは、時計本体７０にロック突起７３が搭載され、フレーム５５にロッキング溝６９が形成されているが、一方、フレーム５５にロック突起が搭載され、時計本体７０にロッキング溝が形成されうる。
【００５６】
本発明は、図面に示された実施形態を参考にして説明されたが、これは例示的なものに過ぎず、当業者ならば、これより多様な変形及び均等な他実施形態が可能であるということを理解できるであろう。したがって、本発明の真の技術的保護範囲は、特許請求の範囲によってのみ決定されるべきである。
【産業上の利用可能性】
【００５７】
本発明は、人が手首に着用する時計であって、スマート時計に利用可能である。
【符号の説明】
【００５８】
１  ・・・コンバーチブルスマートウォッチ
５  ・・・フレーム
６  ・・・ストラップ支持バー
８  ・・・溝
１０  ・・・ブラケット
１１  ・・・連結突起
１３  ・・・弾性突起挿入溝
１４  ・・・係止片
１６  ・・・弾性突起
１７  ・・・フランジ
１９  ・・・圧縮バネ
２０  ・・・時計本体
２１  ・・・ベゼル
２２  ・・・ガイドグルーブ
２５  ・・・第１ロッキング溝
２６  ・・・第２ロッキング溝
２８  ・・・タッチスイッチ
３０  ・・・アナログウォッチユニット
３２  ・・・時針
３３  ・・・分針
３６  ・・・スマートウォッチユニット
【図１】
0006407403.tif 000002
【図２】
0006407403.tif 000003
【図３】
0006407403.tif 000004
【図４】
0006407403.tif 000005
【図５】
0006407403.tif 000006
【図６】
0006407403.tif 000007
【図７】
0006407403.tif 000008
【図８】
0006407403.tif 000009
【図９】
0006407403.tif 000010
【図１０】
0006407403.tif 000011